(57)【要約】【課題】  Ｗｅｂサーバを利用することで電子メールを利用せずに送信情報を送信端末から複数の受信端末に送信するとともに、該送信情報の受信確認を送信側で行うことができるようにした情報通信システムを提供する。【解決手段】  支店Ｃ１０４のパーソナルコンピュータ４００より情報を送信する際には、パーソナルコンピュータ４００よりネットワーク１０を介して本店１０１のＷｅｂサーバ２００に送信情報をアップロードし、他の支店Ａ１０２、Ｂ１０３の画像形成装置３００、パーソナルコンピュータ４００は、Ｗｅｂサーバ２００に対して一定間隔でネットワーク１０を介してポーリングを行い、ポーリングによって送信情報がアップロードされたことが検知された場合は、該送信情報をネットワーク１０を介してダウンロードする。【選択図】  図１
2006270597.tif 000002
【特許請求の範囲】
【請求項１】
Ｗｅｂサーバに送信端末と複数の受信端末とがネットワークを介して接続され、前記送信端末からの送信情報を前記受信端末に送信する情報通信システムにおいて、
前記送信端末は、
前記送信情報を前記ネットワークを介して前記Ｗｅｂサーバにアップロードするアップロード手段
を具備し、
前記受信端末は、
前記Ｗｅｂサーバに対して一定間隔で前記ネットワークを介してポーリングするポーリング手段と、
前記ポーリング手段によるポーリングにより前記Ｗｅｂサーバに送信情報がアップロードされたことが検知された場合は、該送信情報を前記ネットワークを介してダウンロードするダウンロード手段と
を具備することを特徴とする情報通信システム。
【請求項２】
前記送信端末は、
前記ダウンロード手段による前記Ｗｅｂサーバからの前記送信情報のダウンロードに基づき前記送信情報の受信確認を行う
ことを特徴とする請求項１記載の情報通信システム。
【請求項３】
前記送信情報は、
印刷画像情報であり、
前記受信端末は、
前記印刷画像情報のダウンロードにより該印刷画像情報を印刷する印刷装置である
ことを特徴とする請求項１または２記載の情報通信システム。
【請求項４】
前記Ｗｅｂサーバと前記送信端末および受信端末との間の通信は、ｈｔｔｐを用いて行われることを特徴とする請求項１乃至３のいずれかに記載の情報通信システム。
【請求項５】
前記Ｗｅｂサーバと前記送信端末および受信端末との間の前記送信情報の通信は、ＳＳＬを用いて暗号化されることを特徴とする請求項１乃至３のいずれかに記載の情報通信システム。
【請求項６】
Ｗｅｂサーバに送信端末と複数の受信端末とがネットワークを介して接続され、前記送信端末からの送信情報を前記受信端末に送信する情報通信方法において、
前記送信端末は、前記送信情報を前記ネットワークを介して前記Ｗｅｂサーバにアップロードし、
前記受信端末は、前記Ｗｅｂサーバに対して一定間隔で前記ネットワークを介してポーリングし、
該ポーリングにより前記Ｗｅｂサーバに送信情報がアップロードされたことが検知された場合は、該送信情報を前記ネットワークを介してダウンロードし、
前記送信端末は、前記Ｗｅｂサーバからの前記送信情報のダウンロードに基づき前記送信情報の受信確認を行う
ことを特徴とする情報通信方法。
【発明の詳細な説明】
【技術分野】
【０００１】
本発明は、ネットワークを使用して情報の通信を行う情報通信システムおよび方法に関し、特に、Ｗｅｂサーバを利用することで電子メールを利用せずに送信情報を送信端末から複数の受信端末に送信するとともに、該送信情報の受信確認を送信側で行うことができるようにした情報通信システムおよび方法に関する。
【背景技術】
【０００２】
従来より遠方にいる相手先へ対して画像を送信する技術として、ファクシミリ技術と呼ばれる技術が存在する。
【０００３】
このファクシミリ技術は、送信する原稿を走査して、文字が書かれた個所の情報を２値化して、２値化したデータを電話線等の通信媒体で相手先へ送信し、送信先では、受け取った２値化されたデータを元の文字情報に戻して紙面へ印刷を行い、受信側で送信側が送信した原稿の画像を取得することが出来る技術である。
【０００４】
また、電子メールが普及した現在では、公衆回線網を利用したファクシミリ送信とは別に、電子メールに送信する画像を添付して、相手先に送信し、受信側では、受け取った電子メールに添付された画像を開いて画像を確認することができる、インターネットファクシミリと呼ばれる技術が存在する。
【０００５】
特許文献１には、インターネット経由で受信した電子メールをＧ３データに変換して印字することができるファクシミリ機能装置が提供されている。
【０００６】
また、特許文献２には、印刷装置宛に送信された電子メールに含まれる印刷情報の印刷を該印刷装置に依頼し、該印刷装置から受信した印刷処理結果の内容に基づいて送達通知または不達通知を作成して発信者に通知することで、印刷処理の結果を電子メールの発信者が容易に確認できるようにした電子メール処理装置及び電子メールによるリモート印刷処理方法が提案されている。
【特許文献１】特開平０９−２４７３３５号公報
【特許文献２】特開平０８−１３０５５４号公報
【発明の開示】
【発明が解決しようとする課題】
【０００７】
しかし、電子メールを利用したインターネットＦＡＸだと、電子メールのシステムは、送信した電子メールはメールサーバに蓄えられ、受信側はメールサーバより該電子メールを受信するようになっているので、送信側は、受信側が確実に電子メールを受信したかどうかを確認することができなかった。
【０００８】
また、受信側の電源が入っているかどうかも確認できずに、電子メールを送信するしかなかった。
【０００９】
そこで、特許文献２の電子メール処理装置及び電子メールによるリモート印刷処理方法では、電子メールの発信者が、送達通知または不達通知より、印刷装置宛に送信した電子メールの印刷処理の結果を確認することができるが、印刷情報の送信手段として電子メールを使用しているので、メールサーバの容量制限の問題が発生する。
【００１０】
すなわち、電子メールの送受信を担うメールサーバには容量制限が存在するので、カラー画像のように高解像度の画像になると画像の容量が大きくなり、容量の大きな画像を電子メールに添付して送信しようとする場合には、メールサーバで設定された受信側のメールボックスの容量制限を越える場合には、メールサーバにおいて電子メールを受信できない場合があり、電子メールの送信が行えなくなる。
【００１１】
容量制限の問題には、ＦＴＰ（File Transfer Protocol）を用いる解決案が考えられるが、ＦＴＰによる通信では、場合によっては、ファイヤーウォール等の影響により転送が不可能なケースがある。
【００１２】
そこで、この発明は、ＦＴＰを用いずに、Ｗｅｂサーバを利用することで、容量制限の問題が発生する電子メールを利用せずに送信情報を送信端末から複数の受信端末に送信するとともに、該送信情報の受信確認を送信側で行うことができるようにした情報通信システムおよび方法を提供することを目的とする。
【課題を解決するための手段】
【００１３】
上記目的を達成する為、請求項１の発明は、Ｗｅｂサーバに送信端末と複数の受信端末とがネットワークを介して接続され、前記送信端末からの送信情報を前記受信端末に送信する情報通信システムにおいて、前記送信端末は、前記送信情報を前記ネットワークを介して前記Ｗｅｂサーバにアップロードするアップロード手段を具備し、前記受信端末は、前記Ｗｅｂサーバに対して一定間隔で前記ネットワークを介してポーリングするポーリング手段と、前記ポーリング手段によるポーリングにより前記Ｗｅｂサーバに送信情報がアップロードされたことが検知された場合は、該送信情報を前記ネットワークを介してダウンロードするダウンロード手段とを具備することを特徴とする。
【００１４】
また、請求項２の発明は、請求項１の発明において、前記送信端末は、前記ダウンロード手段による前記Ｗｅｂサーバからの前記送信情報のダウンロードに基づき前記送信情報の受信確認を行うことを特徴とする。
【００１５】
また、請求項３の発明は、請求項１または２の発明において、前記送信情報は、印刷画像情報であり、前記受信端末は、前記印刷画像情報のダウンロードにより該印刷画像情報を印刷する印刷装置であることを特徴とする。
【００１６】
また、請求項４の発明は、請求項１及至３のいずれかの発明において、前記Ｗｅｂサーバと前記送信端末および受信端末との間の通信は、ｈｔｔｐ（HyperText Transfer Protocol）を用いて行われることを特徴とする。
【００１７】
また、請求項５の発明は、請求項１及至３のいずれかの発明において、前記Ｗｅｂサーバと前記送信端末および受信端末との間の前記送信情報の通信は、ＳＳＬ（Secure Sockets Layer）を用いて暗号化されることを特徴とする。
【００１８】
また、請求項６の発明は、Ｗｅｂサーバに送信端末と複数の受信端末とがネットワークを介して接続され、前記送信端末からの送信情報を前記受信端末に送信する情報通信方法において、前記送信端末は、前記送信情報を前記ネットワークを介して前記Ｗｅｂサーバにアップロードし、前記受信端末は、前記Ｗｅｂサーバに対して一定間隔で前記ネットワークを介してポーリングし、該ポーリングにより前記Ｗｅｂサーバに送信情報がアップロードされたことが検知された場合は、該送信情報を前記ネットワークを介してダウンロードし、前記送信端末は、前記Ｗｅｂサーバからの前記送信情報のダウンロードに基づき前記送信情報の受信確認を行うことを特徴とする。
【発明の効果】
【００１９】
本発明の情報通信システムおよび方法によれば、送信端末は、送信情報を前記ネットワークを介してＷｅｂサーバにアップロードするアップロード手段を具備し、受信端末は、Ｗｅｂサーバに対して一定間隔で前記ネットワークを介してポーリングするポーリング手段と、ポーリング手段によるポーリングによりＷｅｂサーバに送信情報がアップロードされたことが検知された場合は、該送信情報をネットワークを介してダウンロードするダウンロード手段とを具備するように構成したので、Ｗｅｂサーバを利用することで電子メールを利用せずに送信情報を送信端末から複数の受信端末に送信するとともに、該送信情報の受信確認を送信側で行うことができるという効果を奏する。
【発明を実施するための最良の形態】
【００２０】
以下、本発明に係わる情報通信システムおよび方法の実施例について添付図面を参照して詳細に説明する。
【実施例１】
【００２１】
図１は、本発明に係わる情報通信システム１００の概略を示すシステム構成図である。
【００２２】
情報通信システム１００は、本店１０１に設置されるＷｅｂサーバ２００と支店Ａ１０２に設置される画像形成装置３００と支店Ｂ１０３に設置されるパーソナルコンピュータ４００と支店Ｃ１０４に設置されるパーソナルコンピュータ４００とがネットワーク１０で接続され、本店１０１に設置されるＷｅｂサーバ２００にはパーソナルコンピュータ３０が接続され、支店Ｂ１０３に設置されるパーソナルコンピュータ４００には画像形成装置２０が接続される。
【００２３】
本実施例では、情報通信システム１００において通信される情報を画像情報として説明を行うが、本発明に係る情報通信システムおよび方法において通信される情報は、特に画像情報に限らない。
【００２４】
本発明に係わる情報通信システム１００において、画像の送信は、本店１０１のＷｅｂサーバ２００にアップロードした画像が各支店Ａ１０２、Ｂ１０３、Ｃ１０４に設置された画像形成装置３００、パーソナルコンピュータ４００等の各受信端末からの画像送信要求により各受信端末に送信される。
【００２５】
本店１０１、支店Ａ１０２、Ｂ１０３、Ｃ１０４は互いに離れており、ネットワーク１０は、インターネット若しくはＬＡＮ（Local Area Network）である。
【００２６】
本店１０１に設置されるＷｅｂサーバ２００には、パーソナルコンピュータ３０によって、送信される画像がアップロードされる。
【００２７】
支店Ａ１０２に設置される画像形成装置３００では、ｈｔｔｐを使用して本店１０１のＷｅｂサーバ２００より画像を受信することができ、受信した画像は用紙に印刷して出力される。
【００２８】
支店Ｂ１０３に設置されるパーソナルコンピュータ４００では、ｈｔｔｐを使用して本店１０１のＷｅｂサーバ２００より画像を受信することができ、受信した画像は、パーソナルコンピュータ４００に接続される画像形成装置２０で印刷することができる。
【００２９】
支店Ｃ１０４に設置されるパーソナルコンピュータ４００では、ｈｔｔｐを使用して本店１０１のＷｅｂサーバ２００より画像を受信することができ、受信した画像は、パーソナルコンピュータ４００が備えている、例えばマイクロソフト社のペイント等の各種画像ソフトを使用してパーソナルコンピュータ４００のディスプレイ上で確認することができる。
【００３０】
次に、Ｗｅｂサーバ２００の内部構成について図２を参照して説明を行う。
【００３１】
図２は、Ｗｅｂサーバ２００の内部構成の概略を示した構成図である。
【００３２】
Ｗｅｂサーバ２００は、ＣＰＵ（Central Processing Unit）２０１、ＲＡＭ（Random Access Memory）２０２、ＨＤＤ（Hard Disk Drive）２０３、ＲＯＭ（Read Only Memory）２０４、ネットワークインタフェース（以下、図面と共にネットワークＩ／Ｆと記す）２０５を備える。
【００３３】
ＣＰＵ２０１はＷｅｂサーバ２００の動作制御を行い、ＲＡＭ２０２は通信処理に伴うデータ等の読み書きを行い、ＨＤＤ２０３は送信する画像を蓄え、ＲＯＭ２０４には情報通信に関するプログラム等が書き込まれ、ネットワークＩ／Ｆ２０５はネットワーク１０を介して情報の授受を行う。
【００３４】
次に、画像形成装置３００の内部構成について図３を参照して説明を行う。
【００３５】
図３は、画像形成装置３００の内部構成の概略を示した構成図である。
【００３６】
画像形成装置３００は、ＣＰＵ３０１、ＲＡＭ３０２、ＨＤＤ３０３、ネットワークＩ／Ｆ３０４、表示部３０５、キー操作部３０６、プリンタ部３０７を備える。
【００３７】
ＣＰＵ３０１は画像形成装置３００の動作制御を行い、ＲＡＭ３０２は通信処理に伴うデータ等の読み書きを行い、ＨＤＤ３０３は印刷する画像を蓄え、ネットワークＩ／Ｆ３０４はネットワーク１０を介して情報の授受を行い、表示部３０５はユーザに各種情報を表示し、キー操作部３０６はユーザからの操作を受け付け、プリンタ部３０７は印刷を実行する。
【００３８】
次に、パーソナルコンピュータ４００の内部構成について図４を参照して説明を行う。
【００３９】
図４は、パーソナルコンピュータ４００の内部構成の概略を示した構成図である。
【００４０】
パーソナルコンピュータ４００は、ＣＰＵ４０１、ＲＡＭ４０２、ＨＤＤ４０３、ネットワークＩ／Ｆ４０４、ＲＯＭ４０５、表示部４０６、入力操作部４０７を備える。
【００４１】
ＣＰＵ４０１はパーソナルコンピュータ４００の動作制御を行い、ＲＡＭ４０２は通信処理に伴うデータ等の読み書きを行い、ＨＤＤ４０３は受信した画像等を記憶し、ネットワークＩ／Ｆ４０４はネットワーク１０を介して情報の授受を行い、ＲＯＭ４０５には情報通信に関するプログラム等が書き込まれ、表示部４０６はディスプレイで構成されユーザに情報を表示し、入力操作部４０７キーボード等で構成されユーザからの指示を受け付ける。
【００４２】
次に、情報通信システム１００において、画像形成装置３００、パーソナルコンピュータ４００の受信端末がＷｅｂサーバ２００から画像を受信する際の、Ｗｅｂサーバ２００と受信端末との情報のやり取りについて図５を参照して説明を行う。
【００４３】
図５は、受信端末がＷｅｂサーバ２００から画像を受信する際の、Ｗｅｂサーバ２００と受信端末との情報のやり取りを示したシーケンス図である。
【００４４】
情報通信システム１００において、受信端末である画像形成装置３００、パーソナルコンピュータ４００はＷｅｂサーバ２００に対して、定期的に画像送信受信要求を送信するポーリングを行う（矢印５０１、５０２）。
【００４５】
受信端末からＷｅｂサーバ２００に対して送信される画像送信要求は、ｈｔｔｐを使用して行われる。
【００４６】
Ｗｅｂサーバ２００において、から送信する画像がアップロードされ（符号５０６）、そして、受信端末から画像送信要求を受けると（矢印５０３）、Ｗｅｂサーバ２００は、画像送信要求を送信してきた受信端末に対して、アップロードされた画像を送信する（矢印５０４）。
【００４７】
Ｗｅｂサーバ２００から画像を受信した受信端末は、受信を完了した旨を通知するために、受信完了通知をＷｅｂサーバ２００に対して送信する（矢印５０５）。
【００４８】
このような、Ｗｅｂサーバ２００と受信端末間で行われる画像送信要求、画像送信、受信完了通知は、全てｈｔｔｐを使用して行なわれる。
【００４９】
次に、画像形成装置３００、パーソナルコンピュータ４００の受信端末が画像を受信する際の処理について、図６を参照して説明を行なう。
【００５０】
図６は、受信端末が画像を受信する際の処理フローを示したフローチャートである。
【００５１】
受信端末である画像形成装置３００、パーソナルコンピュータ４００は、Ｗｅｂサーバ２００に対して画像の送信要求を定期的に行う（ステップ６０１）。
【００５２】
Ｗｅｂサーバ２００に対して行う画像送信要求は、それぞれの受信端末が各自行い、画像送信要求を行うタイミングは、同じである必要はなく、それぞれの受信端末に定められた時間が経過すると、各受信端末は画像送信要求を行う（ステップ６０３でＹＥＳからステップ６０１）。
【００５３】
このようにして受信端末からＷｅｂサーバ２００に、定期的な画像送信要求であるポーリングが行われる。
【００５４】
受信端末は、Ｗｅｂサーバ２００に画像がアップロードされて後に画像送信要求を送ると、Ｗｅｂサーバ２００から画像が受信端末に送られ、受信端末は画像を受信する（ステップ６０２）。
【００５５】
画像を受信した受信端末は、Ｗｅｂサーバ２００に対して、画像を受信した旨を通知する為に、受信完了通知をＷｅｂサーバ２００に対して送信する（ステップ６０４）。
【００５６】
次に、Ｗｅｂサーバ２００が画像を送信する際の処理について、図７を参照して説明を行う。
【００５７】
図７は、Ｗｅｂサーバ２００が画像を送信する際の処理フローを示したフローチャートである。
【００５８】
Ｗｅｂサーバ２００が、受信端末からの画像送信要求を受け付けると、Ｗｅｂサーバ２００に画像がアップロードされていなければ（ステップ７０２でＮＯ）、受信端末からの画像送信要求に対して、画像が見つからなかった旨を記述した応答メッセージを送る。
【００５９】
応答メッセージは、ｈｔｔｐが使用され、応答コードに４０４  Ｎｏｔ  Ｆｏｕｎｄを記述して、画像送信要求を送った受信端末に対して送信する（ステップ７０３）。
【００６０】
また、Ｗｅｂサーバ２００は、ｈｔｔｐによるリクエスト処理の一部として、画像送信要求とそれに対する応答メッセージの内容をログに記録する（ステップ７０４）。
【００６１】
しかし、Ｗｅｂサーバ２００にパーソナルコンピュータ３０から画像がアップロードされ、その後に、受信端末より画像送信要求を受けた場合には（ステップ７０２でＹＥＳ）、Ｗｅｂサーバ２００は、アップロードされた画像を、画像送信要求を行った受信端末に対して送信する（ステップ７０５）。
【００６２】
画像を送信したＷｅｂサーバ２００は、受信端末からのｈｔｔｐによる画像送信要求とそれに対して画像を送信したレスポンスの内容をログに記録する（ステップ７０６）。
【００６３】
その後、Ｗｅｂサーバ２００が、画像を送信した受信端末から受信完了通知を受信すると（ステップ７０７）、受信端末からのｈｔｔｐによる受信完了通知をログに記録する（ステップ７０８）。
【００６４】
次に、Ｗｅｂサーバ２００において生成されるログについて図８を参照して説明を行なう。
【００６５】
図８は、Ｗｅｂサーバ２００において生成されるログの一例であるログの内容８００について示した図である。
【００６６】
ログの内容８００のそれぞれの行に記録されたレコードは、Ｗｅｂサーバ２００と受信端末との間で行われるｈｔｔｐを使用した１つのリクエスト−レスポンスペアに対応しており、受信端末とＷｅｂサーバ２００との間でｈｔｔｐを使用して行われたやりとりの内容が記録される。
【００６７】
ログの内容８００の、各行には、画像送信要求のリクエストを行ってきた受信端末のＩＰアドレス、Ｗｅｂサーバ２００がリクエストを受信した時刻、リクエストの内容、３桁からなるｈｔｔｐのレスポンスコード、レスポンスのエンティティボディのサイズが記録される。
【００６８】
図８に示すログの内容８００には、１、３行目に示すように、ＩＰアドレスが１０．２４５．１３１．２の受信端末がＷｅｂサーバ２００に画像送信要求を送信したことが記録される（参照番号８０４）。
【００６９】
図８のログの内容８００の１、３行目の内容（参照番号８０４）から、ＩＰアドレスが１０．２４５．１３１．２の受信端末が、装置に電源が入って正常に動作しており、定期的にＷｅｂサーバ２００に対して、画像送信要求を行っていることを確認することができる。
【００７０】
また、ログの内容８００の４行目の内容（参照番号８０５）から、ＩＰアドレスが１０．３．２．１６の受信端末が画像送信要求を行ってＷｅｂサーバ２００が画像が見つからなかった旨を示す４０４のレスポンスコード（符号８０１）を記したレスポンスメッセージを返したことが確認できる。
【００７１】
また、ログの内容８００の５行目の内容（参照番号８０６）から、ＩＰアドレスが１０．２４５．１３１．２の受信端末が画像送信要求を行って、Ｗｅｂサーバ２００が、画像送信要求のリクエストに対するレスポンスを正常に実行して該受信端末に画像を送信したことを示すレスポンスコード２００（符号８０２）を記したレスポンスメッセージを返したことが確認でき、該受信端末がＷｅｂサーバ２００より画像をダウンロードした受信確認が行われる。
【００７２】
また、ログの内容８００の６行目の内容（参照番号８０７）から、Ｗｅｂサーバ２００から画像を受信したＩＰアドレス１０．２４５．１３１．２の受信端末からＷｅｂサーバ２００が、図示しないテキストファイルの受信完了通知を受け取ったことが確認できる。
【００７３】
ＩＰアドレス１０．２４５．１３１．２の受信端末からＷｅｂサーバ２００が受け取った図示しないテキストファイルの受信完了通知には、該受信端末がＷｅｂサーバ２００から受信した画像の詳細が記されており、Ｗｅｂサーバ２００を管理するユーザは、受け取った図示しないテキストファイルの受信完了通知の詳細を確認することでも、該受信端末がＷｅｂサーバ２００から送信された画像を正常に受信したことの受信確認が行われる。
【００７４】
なお、ログの内容８００の６行目に記したログは、受信端末からの受信完了通知に関する一例であって、他のログで受信端末が画像を受信したことを示すようにしてもよい。
【００７５】
このように、Ｗｅｂサーバ２００を管理するユーザは、ログに記録された内容を判断して、受信端末に電源が入っており定期的に画像送信要求を行っているかどうかが確認でき、さらに、Ｗｅｂサーバ２００より送信した画像を受信端末が正常に受信したかどうかの受信確認が行える。
【００７６】
次に、受信端末がＷｅｂサーバ２００に対して画像送信要求を行い、そして、画像を受信する際の、受信端末とＷｅｂサーバ２００との情報のやり取りについて、プロトコルに関する説明を図９を参照して行う。
【００７７】
図９は、受信端末がＷｅｂサーバ２００から画像を受信する際の、受信端末とＷｅｂサーバ２００との情報のやり取りを示すシーケンス図である。
【００７８】
まず、受信端末からＷｅｂサーバ２００にコネクションの確立要求が、ＴＣＰ（Transmission Control Protocol）ヘッダのＳＹＮ（Synchronize）にフラグを立てて送信される（矢印９０１）。
【００７９】
そして、Ｗｅｂサーバ２００から受信端末に対して、確認応答とコネクションの確立要求が、ＴＣＰヘッダのＡＣＫ（Acknowledgment）とＳＹＮにフラグを立てて送信される（矢印９０２）。
【００８０】
そして、受信端末からＷｅｂサーバ２００に対して、コネクションの確認応答が、ＴＣＰヘッダのＡＣＫにフラグを立てて送信される（矢印９０３）。
【００８１】
この時点で、ようやく、受信端末とＷｅｂサーバ２００とのコネクションが確立される。
【００８２】
次に、受信端末からＷｅｂサーバ２００に対して、ＴＣＰヘッダのＡＣＫとＰＳＨ（Push）にフラグが立てられ、ｈｔｔｐを使用した画像のリクエストパケットが送信され、画像送信要求が行われる（矢印９０４）。
【００８３】
また、受信端末はＷｅｂサーバ２００に対して、ＴＣＰヘッダのＡＣＫにフラグを立てて送信し、待ち状態に入る（矢印９０５）。
【００８４】
Ｗｅｂサーバ２００に画像がアップロードされていれば、Ｗｅｂサーバ２００から受信端末に対して、ＴＣＰヘッダのＡＣＫとＰＳＨにフラグが立てられ、ｈｔｔｐを使用して画像データが送信される（矢印９０６）。
【００８５】
そして、Ｗｅｂサーバ２００は受信端末に対して、ＴＣＰヘッダＡＣＫとＦＩＮ（Fin）にフラグを立てて送信し、コネクションの切断要求を行い（矢印９０７）、受信端末はＷｅｂサーバ２００に対して、ＴＣＰヘッダのＡＣＫとＦＩＮにフラグを立てて送信し、Ｗｅｂサーバ２００にコネクションの切断要求を行う（矢印９０８）。
【００８６】
最後に、Ｗｅｂサーバ２００は受信端末に対して、ＴＣＰヘッダのＡＣＫにフラグを立てて送信し、コネクションの切断の確認応答を行い、コネクションが切断される（矢印９０９）。
【００８７】
なお、通信プロトコルには、ｈｔｔｐにＳＳＬ機能の拡張を施したｈｔｔｐｓ（HyperText Transfer Protocol Secure）を使用してもよく、ｈｔｔｐｓを使用することによって通信内容を容易に秘匿することができる。
【実施例２】
【００８８】
本実施例では、通信される情報は画像情報として説明を行うが、本発明に係る情報通信システムおよび方法において通信される情報は、特に画像情報に限らない。
【００８９】
まず、実施例１では、パーソナルコンピュータ３０から本店１０１のＷｅｂサーバ２００にアップロードした画像を各支店Ａ１０２、Ｂ１０３、Ｃ１０４に設置された受信端末に送信する情報通信システムおよび方法について説明したが、本実施例においては、ある支店の送受信端末からＷｅｂサーバに画像をアップロードし、Ｗｅｂサーバから別の支店に画像を送信することで、Ｗｅｂサーバを経由して支店間での画像の送受信を行うようにした情報通信送信システムについての説明を行う。
【００９０】
最初に、本実施例に関わる、情報通信システム１０００の構成について図１０を参照して説明を行う。
【００９１】
図１０は、Ｗｅｂサーバを経由して、支店間での画像の送受信を行うことができる情報通信システム１０００の構成の概略を示した構成図である。
【００９２】
情報通信システム１０００は、本店１０１に設置されたＷｅｂサーバ１２００と支店Ａ１０２に設置された画像形成装置１３００と支店Ｂ１０３に設置されたパーソナルコンピュータ１４００と支店Ｃ１０４に設置されたパーソナルコンピュータ１４００とがネットワーク１０によって接続されており、本店１０１に設置されたＷｅｂサーバ１２００にはパーソナルコンピュータ３０が接続され、支店Ｂ１０３に設置されたパーソナルコンピュータ１４００には画像形成装置２０が接続される。
【００９３】
本発明に関わる情報通信システム１００においては、画像を送信する際は、各支店Ａ１０２、Ｂ１０３、Ｃ１０４に設置されている送受信端末である画像形成装置１３００、パーソナルコンピュータ１４００、およびパーソナルコンピュータ３０からＷｅｂサーバ１２００に画像がアップロードされ、画像を受信する際は、各支店Ａ１０２、Ｂ１０３、Ｃ１０４に設置されている画像形成装置１３００、パーソナルコンピュータ１４００の送受信端末がＷｅｂサーバ１２００に画像送信要求を定期的に行って、画像がＷｅｂサーバ１２００にアップロードされた時点で画像送信要求を行った送受信端末が画像を受信するという処理が行なわれる。
【００９４】
本店１０１、支店Ａ１０２、Ｂ１０３、Ｃ１０４とは互いに離れており、ネットワーク１０は、インターネット若しくはＬＡＮで構成される。
【００９５】
支店Ａ１０２に設置される画像形成装置１３００は、スキャナでスキャンした画像をｈｔｔｐを使用してＷｅｂサーバ１２００にアップロードすることができ、さらに、ｈｔｔｐを使用して、Ｗｅｂサーバ１２００より画像を受信することの出来る機能をもつ。
【００９６】
また、支店Ｂ１０３に設置されているパーソナルコンピュータ１４００は、ｈｔｔｐを使用して、パーソナルコンピュータ１４００に保存している画像をＷｅｂサーバ１２００にアップロードすることができ、さらに、ｈｔｔｐを使用して、Ｗｅｂサーバ１２００より画像を受信することの出来る機能を持つ。
【００９７】
パーソナルコンピュータ１４００は、図示しないＦＤＤ（Floppy（登録商標） Disk Drive）、ＭＯ（Magnet-Optical disk ）ドライブ、ＤＶＤ−Ｒ（Digital Versatile Disc-Recordable ）ドライブ等の外部入力装置から画像を入力することができ、入力した画像を、ｈｔｔｐを使用してＷｅｂサーバ１２００にアップロードすることができる。
【００９８】
また、支店Ｂ１０３に設置されているパーソナルコンピュータ１４００には、画像形成装置２０が接続されており、支店Ｂ１０３に設置されているパーソナルコンピュータ１４００がＷｅｂサーバ１２００から受信した画像を画像形成装置２０で印刷することができる。
【００９９】
また、支店Ｃ１０４に設置されているパーソナルコンピュータ１４００は、支店Ｂ１０３に設置されているパーソナルコンピュータ１４００と同様に、ｈｔｔｐを使用して画像をＷｅｂサーバ１２００にアップロードすることのできる機能を持ち、また、ｈｔｔｐを使用してＷｅｂサーバ１２００から画像を受信することのできる機能を持つ。
【０１００】
そして、支店Ｃ１０４に設置されているパーソナルコンピュータ１４００では、Ｗｅｂサーバ１２００から受信した画像を、支店Ｃ１０４のパーソナルコンピュータ１４００が備えている各種画像ソフトを使用して、ディスプレイ上で確認することができる。
【０１０１】
このように、情報通信システム１０００における送受信端末である画像形成装置１３００、パーソナルコンピュータ１４００は、ｈｔｔｐを使用して、Ｗｅｂサーバ１２００に画像をアップロードすることができ、ｈｔｔｐを使用して、Ｗｅｂサーバ１２００から画像を受信することができる機能を備えている。
【０１０２】
次に、Ｗｅｂサーバ１２００の内部構成について図１１を参照して説明を行なう。
【０１０３】
図１１は、Ｗｅｂサーバ１２００の内部構成の概略を示した構成図である。
【０１０４】
Ｗｅｂサーバ１２００は、ＣＰＵ１２０１、ＲＡＭ１２０２、ＲＯＭ１２０３、ネットワークＩ／Ｆ１２０４、ＨＤＤ１２０５を備える。
【０１０５】
ＣＰＵ１２０１はＷｅｂサーバ１２００の動作制御を行い、ＲＡＭ１２０２は通信処理に伴うデータ等の読み書きを行い、ＲＯＭ１２０３には情報通信に関するプログラム等が書き込まれ、ネットワークＩ／Ｆ１２０４はネットワーク１０を介して情報の授受を行い、ＨＤＤ１２０５は通信する画像を保存し、ＨＤＤ１２０５の中で分割された領域である、保存場所Ａ１２０６には支店Ａ１０２に送信する画像を保存し、保存場所Ｂ１２０７には支店Ｂ１０３に送信する画像を保存し、保存場所Ｃ１２０８には支店Ｃ１０４に送信する画像を保存する。
【０１０６】
例えば、支店Ｂ１０３に設置されるパーソナルコンピュータ１４００から支店Ａ１０２に設置される画像形成装置１３００に対して画像が送信される場合には、支店Ｂ１０３のパーソナルコンピュータ１４００からＷｅｂサーバ１２００にアップロードされた画像は、Ｗｅｂサーバ１２００において、支店Ａ１０２に送信する画像を保存する保存場所１２０６に保存される。
【０１０７】
次に、画像形成装置１３００の内部構成について図１２を参照して説明を行なう。
【０１０８】
図１２は、画像形成装置１３００の内部構成の概略を示したブロック図である。
【０１０９】
画像形成装置１３００は、ＣＰＵ１３０１、ＲＡＭ１３０２、ＨＤＤ１３０３、ネットワークＩ／Ｆ１３０４、表示部１３０５、キー操作部１３０６、プリンタ部１３０７、スキャナ部１３０８を備えている。
【０１１０】
ＣＰＵ１３０１は画像形成装置１３００の動作制御を行い、ＲＡＭ１３０２は通信処理に伴うデータ等の読み書きを行い、ＨＤＤ１３０３は印刷する画像を蓄え、ネットワークＩ／Ｆ１３０４はネットワーク１０を介して情報の授受を行い、表示部１３０５はユーザに各種情報を表示し、キー操作部１３０６はユーザからの操作を受け付け、プリンタ部１３０７は印刷を実行する。
【０１１１】
次に、パーソナルコンピュータ１４００の内部構成について図１３を参照して説明を行う。
【０１１２】
図１３は、パーソナルコンピュータ１４００の内部構成の概略を示したブロック図である。
【０１１３】
パーソナルコンピュータ１４００は、ＣＰＵ１４０１、ＲＡＭ１４０２、ＨＤＤ１４０３、ネットワークＩ／Ｆ１４０４、ＲＯＭ１４０５、表示部１４０６、入力操作部１４０７を備えている。
【０１１４】
ＣＰＵ１４０１はパーソナルコンピュータ１４００の動作制御を行い、ＲＡＭ１４０２は通信処理に伴うデータ等の読み書きを行い、ＨＤＤ１４０３は受信した画像等を記憶し、ネットワークＩ／Ｆ１４０４はネットワーク１０を介して情報の授受を行い、ＲＯＭ１４０５には情報通信に関するプログラム等が書き込まれ、表示部１４０６はディスプレイで構成されユーザに情報を表示し、入力操作部１４０７キーボード等で構成されユーザからの指示を受け付ける。
【０１１５】
次に、ある支店に設置された送受信端末から別の支店に設置された送受信端末に画像が送信される際の情報のやり取りを、支店Ｂ１０３に設置されたパーソナルコンピュータ１４００（送受信端末Ｂとする）から支店Ａ１０２に設置された画像形成装置１３００（送受信端末Ａとする）に画像が送信されるやり取りを例にして、送受信端末Ｂと送受信端末Ａと画像を中継するＷｅｂサーバ１２００との間での情報のやり取りについて図１４を参照して説明する。
【０１１６】
図１４は、支店Ｂ１０３に設置されたパーソナルコンピュータ１４００である送受信端末Ｂから、支店Ａ１０２に設置された画像形成装置１３００に対して画像が送信される際の、送受信端末Ｂと送受信端末ＡとＷｅｂサーバ１２００との間での情報のやり取りを示したシーケンス図である。
【０１１７】
情報通信システム１０００において、画像形成装置１３００、パーソナルコンピュータ１４００の各送受信端末は、Ｗｅｂサーバ１２００に対して、定期的に画像送信要求を行うポーリング動作を行う。
【０１１８】
各送受信端末は、Ｗｅｂサーバ１２００に自身宛の画像がアップロードされていれば、自身あての画像を受信するが、アップロードされていなければ、画像を受信できない。
【０１１９】
支店Ａ１０２に設置されている画像形成装置１３００である送受信端末Ａも、定期的にＷｅｂサーバ１２００に対して画像送信要求を行う（矢印１５０１、矢印１５０２）。
【０１２０】
そして、支店Ｂ１０３に設置されているパーソナルコンピュータ１４００である送受信端末Ｂが送受信端末Ａ宛の画像をＷｅｂサーバ１２００にアップロードすると（矢印１５０３）、送受信端末Ａが次にＷｅｂサーバ１２００に画像送信要求を行なった時に（矢印１５０４）、Ｗｅｂサーバ１２００から送受信端末Ａに対して、送受信端末Ｂがアップロードした画像が送信される（矢印１５０５）。
【０１２１】
そして、画像を受信した送受信端末Ａは、受信完了通知をＷｅｂサーバ１２００に対して送信する（矢印１５０６）。
【０１２２】
送受信端末Ｂが、アップロードした画像を送受信端末Ａが受信したかどうかを確認するには、送受信端末ＢからＷｅｂサーバ１２００に送受信端末Ａ用のログと送受信端末Ａからの受信完了通知の要求を行い（矢印１５０７）、Ｗｅｂサーバ１２００から、送受信端末Ａ用のログと送受信端末Ａからの受信完了通知を受信して（矢印１５０８）、送受信端末Ａ用のログに記載された内容や、送受信端末Ａからの受信完了通知から、送受信端末Ａが画像を受信したことを確認することができる。
【０１２３】
このような、Ｗｅｂサーバ１２００と各送受信端末間で行われる通信は、全てｈｔｔｐを使用して行われる。
【０１２４】
また、図１４のシーケンス図においては、説明を分かり易くする為に、送受信端末ＢがＷｅｂサーバ１２００に対して行う定期的な画像送信要求は省略している。
【０１２５】
次に、送受信端末の画像を送信する処理について、図１５を参照して説明する。
【０１２６】
図１５は、送受信端末の画像を送信する処理フローを示したフローチャートである。
【０１２７】
送受信端末において、例えば、支店Ａに設置された画像形成装置１３００に画像を送信する際には、ｈｔｔｐにおけるＰＵＴメソッドを使用し、Ｗｅｂサーバ１２００の支店Ａに送信する画像を保存する保存場所Ａ１２０６に、送信する画像をアップロードする（ステップ１５０９）。
【０１２８】
次に、送受信端末において画像を受信する処理フローについて、図１６を参照して説明する。
【０１２９】
図１６は、送受信端末において画像を受信する処理フローを示したフローチャートである。
【０１３０】
画像を受信する送受信端末は、自身宛の画像がアップロードされていれば、Ｗｅｂサーバ１２００の自身宛の画像を送信するように画像送信要求を行う（ステップ１６０１）。
【０１３１】
このようにして、定期的な画像送信要求であるポーリングが行われる。
【０１３２】
Ｗｅｂサーバ１２００に、自身宛の画像がアップロードされていなければ、送受信端末は、画像を受信することが出来ずに（ステップ１６０２でＮＯ）、一定時間経過すると（ステップ１６０３でＹＥＳ）、再度画像送信要求をＷｅｂサーバ１２００に行う（ステップ１６０１）。
【０１３３】
Ｗｅｂサーバ１２００に自身宛の画像がアップロードされていれば、送受信端末Ａは、画像送信要求を送信後（ステップ１６０１の後）に、画像を受信して（ステップ１６０２でＹＥＳ）、受信完了通知をＷｅｂサーバ１２００に対して送信する。
【０１３４】
なお、図１６を使用して説明した、送受信端末とＷｅｂサーバ１２００との間で行われる通信は、全てｈｔｔｐを使用して行われる。
【０１３５】
次に、画像を中継する役割を担うＷｅｂサーバ１２００における、処理フローについて図１７を参照して説明を行う。
【０１３６】
図１７は、画像を中継する役割を担うＷｅｂサーバ１２００における処理フローを示したフローチャートである。
【０１３７】
Ｗｅｂサーバ１２００においては、情報通信システム１０００内の各送受信端末から定期的に画像送信要求を受信する（ステップ１７０１）。
【０１３８】
Ｗｅｂサーバ１２００は、送受信端末から画像送信要求を受信すると、画像送信要求を送ってきた送受信端末宛の画像がＷｅｂサーバ１２００内の保存場所にアップロードされているかどうかを確認し（ステップ１７０２）、画像送信要求を行った送受信端末宛の画像がアップロードされていなければ（ステップ１７０２でＮＯ）、画像送信要求に対して「４０４  Ｎｏｔ  Ｆｏｕｎｄ」のレスポンスコードを記載したｈｔｔｐによるレスポンスメッセージを送信し（ステップ１７０３）、送受信端末が行った画像送信要求のリクエストとそれに対するＷｅｂサーバ１２００のレスポンスに関わる内容を、画像送信要求を行ってきた送受信端末用のログに記録する（ステップ１７０４）。
【０１３９】
しかし、Ｗｅｂサーバ１２００は、画像送信要求を行った送受信端末宛の画像がＷｅｂサーバ１２００内の保存場所にアップロードされていれば（ステップ１７０２でＹＥＳ）、画像送信要求を行ってきた送受信端末に対して、該送受信端末宛の画像を送信する（ステップ１７０５）。
【０１４０】
そして、Ｗｅｂサーバ１２００は、送受信端末が行った画像送信要求のリクエストとそれに対するＷｅｂサーバ１２００の画像を送信したレスポンスに関わる内容を、画像送信要求を行ってきた送受信端末用のログに記録する（ステップ１７０６）。
【０１４１】
その後、Ｗｅｂサーバ１２００が、画像を送信した送受信端末より受信完了通知を受信すると（ステップ１７０７）、送受信端末からのｈｔｔｐによる受信完了通知を送受信端末用のログに記録する。
【０１４２】
次に、Ｗｅｂサーバ１２００において生成されるログについて図１８を参照して説明を行う。
【０１４３】
図１８は、図１４のシーケンス図に示すように、送受信端末ＢからＷｅｂサーバ１２００を経由して送受信端末Ａに画像が送信される際に、Ｗｅｂサーバ１２００において生成される、送受信端末Ａ用のログの一例であるログの内容１８００を示した図である。
【０１４４】
送受信端末Ａ用のログの内容１８００には、それぞれの行に記録されたレコードは、送受信端末Ａに関わるｈｔｔｐを使用した１つのリクエスト−レスポンスの内容が記録される。
【０１４５】
送受信端末Ａ用のログの内容１８００には、各行に、リクエストを行なってきた送受信端末のＩＰアドレス、Ｗｅｂサーバ１２００がリクエストを受信した時刻、リクエストの内容、該リクエストに対応したレスポンス内容を示す３桁からなるレスポンスコード、レスポンスのエンティティボディのサイズが記録される。
【０１４６】
送受信端末Ａ用のログの内容１８００の１、２行目（参照番号１８０１）には、ＩＰアドレスが１０．２４５．１３１．２である送受信端末ＡからＷｅｂサーバ１２００に画像送信要求を送信したことが記録されており、この記録により、送受信端末Ａには電源が入っており、定期的にＷｅｂサーバ１２００に画像送信要求を行っていることが確認できる。
【０１４７】
送受信端末Ａ用のログの内容１８００の３行目（参照番号１８０２）には、ＩＰアドレスが１０．３．２．１６である送受信端末ＢからｈｔｔｐのＰＵＴメソッドによって支店Ａに設置された送受信端末Ａ宛の画像を保存する保存場所１２０６に画像を生成する（アップロードする）ようにＷｅｂサーバ１２００にリクエストされたことが記録されており、該リクエストに対してＷｅｂサーバ１２００は、画像を生成したことを示すレスポンスコード２０１（参照番号１８０３）を記載したレスポンスを送受信端末Ｂに返したことが記録される。
【０１４８】
また、送受信端末Ａ用のログの内容１８００の４行目（参照番号１８０４）には、ＩＰアドレスが１０．２４５．１３１．２である送受信端末ＡからｈｔｔｐのＧＥＴメソッドによって画像送信要求が行なわれ、該画像送信要求のリクエストに対して、Ｗｅｂサーバ１２００が正常に処理したことを示すレスポンスコード２００（参照番号１８０５）が記録される。
【０１４９】
この４行目（参照番号１８０４）のように、リクエストが正常に処理されたレスポンスコード２００を確認することで、ＩＰアドレスが１０．２４５．１３１．２の送受信端末Ａに画像が送信されたことを確認することができ、送受信端末ＡがＷｅｂサーバ１２００より画像をダウンロードした受信確認が行われる。
【０１５０】
また、送受信端末Ａ用のログの内容１８００の５行目（参照番号１８０６）には、ＩＰアドレスが１０．２４５．１３１．２である送受信端末ＡからＷｅｂサーバ１２００に、受信完了通知が送信されて、画像の送信先である送受信端末Ｂを操作するユーザは、Ｗｅｂサーバ１２００が、図示しないテキストファイルの受信完了通知を受け取ったことが確認できる。
【０１５１】
ＩＰアドレスが１０．２４５．１３１．２の送受信端末Ａから送信された図示しないテキストファイルの受信完了通知には、該送受信端末ＡがＷｅｂサーバ１２００から受信した画像の詳細が記されており、画像の送信先である送受信端末Ｂを操作するユーザは、この図示しないテキストファイルの受信完了通知の詳細を確認することでも、該送受信端末ＡがＷｅｂサーバ１２００から送信された画像を正常に受信した受信確認が行われる。
【０１５２】
なお、送受信端末Ａ用のログの内容１８００の５行目に記したログは、送受信端末からの受信完了通知に関する一例であって、他のログで送受信端末が画像を受信したことを示すようにしてもよい。
【０１５３】
なお、情報通信システム１０００は、支店間において、画像を送受信するだけでなく、Ｗｅｂサーバ１２００を備えている本店から任意の支店宛に画像を送信することも、もちろん可能である。
【０１５４】
その際は、Ｗｅｂサーバ１２００に接続されているパーソナルコンピュータ３０によって、支店宛に送信する画像が、Ｗｅｂサーバ１２００における宛先の支店宛の画像を保存する保存場所（保存場所Ａ１２０６、Ｂ１２０７、Ｃ１２０８のいずれか）にアップロードされて、宛先の支店に設置されている送受信端末が画像送信要求を行った際に、アップロードされた画像が送信される。
【０１５５】
なお、通信プロトコルには、ｈｔｔｐにＳＳＬ機能の拡張を施したｈｔｔｐｓを使用してもよく、ｈｔｔｐｓを使用することによって通信内容を容易に秘匿することができる。
【産業上の利用可能性】
【０１５６】
この発明は、ネットワークを使用して情報の通信を行う情報通信システムにおいて利用可能である。
【０１５７】
この発明によれば、Ｗｅｂサーバを利用して情報通信システムを構築することで、電子メールを利用せずに情報を送信し、受信側が情報を受信したことを送信側が確認することが出来る。
【図面の簡単な説明】
【０１５８】
【図１】本発明に係わる情報通信システム１００の概略を示すシステム構成図。
【図２】Ｗｅｂサーバ２００の内部構成の概略を示した構成図。
【図３】画像形成装置３００の内部構成の概略を示した構成図。
【図４】パーソナルコンピュータ４００の内部構成の概略を示した構成図。
【図５】受信端末がＷｅｂサーバ２００から画像を受信する際の、Ｗｅｂサーバ２００と受信端末との情報のやり取りを示したシーケンス図。
【図６】受信端末が画像を受信する際の処理フローを示したフローチャート。
【図７】Ｗｅｂサーバ２００が画像を送信する際の処理フローを示したフローチャート。
【図８】Ｗｅｂサーバ２００において生成されるログの一例であるログの内容８００について示した図。
【図９】受信端末がＷｅｂサーバ２００から画像を受信する際の、受信端末とＷｅｂサーバ２００との情報のやり取りを示すシーケンス図。
【図１０】間接的に、支店間で画像の送受信を行うことができる情報通信システム１０００の構成の概略を示した構成図。
【図１１】Ｗｅｂサーバ１２００の内部構成の概略を示した構成図。
【図１２】画像形成装置１３００の内部構成の概略を示したブロック図。
【図１３】パーソナルコンピュータ１４００の内部構成の概略を示したブロック図。
【図１４】支店Ｂ１０３に設置されたパーソナルコンピュータ１４００である送受信端末Ｂから、支店Ａ１０２に設置された画像形成装置１３００に対して画像が送信される際の、送受信端末Ｂと送受信端末ＡとＷｅｂサーバ１２００との間での情報のやり取りを示したシーケンス図。
【図１５】送受信端末の画像を送信する処理フローを示したフローチャート。
【図１６】送受信端末の画像を受信する処理フローを示したフローチャート。
【図１７】画像を中継する役割を担うＷｅｂサーバ１２００における処理フローを示したフローチャート。
【図１８】送受信端末ＢからＷｅｂサーバ１２００を経由して送受信端末Ａに画像が送信される際に、Ｗｅｂサーバ１２００において生成される、送受信端末Ａ用のログの一例であるログの内容１８００を示した図。
【符号の説明】
【０１５９】
１０    ネットワーク
２０    画像形成装置
３０    パーソナルコンピュータ
１００    情報通信システム
１０１    本店
１０２    支店Ａ
１０３    支店Ｂ
１０４    支店Ｃ
２００    Ｗｅｂサーバ
３００    画像形成装置
４００    パーソナルコンピュータ
８００    ログの内容
１０００    情報通信システム
１２００    Ｗｅｂサーバ
１３００    画像形成装置
１４００    パーソナルコンピュータ
１８００    送受信端末Ａ用のログの内容
【図１】
2006270597.tif 000003
【図２】
2006270597.tif 000004
【図３】
2006270597.tif 000005
【図４】
2006270597.tif 000006
【図５】
2006270597.tif 000007
【図６】
2006270597.tif 000008
【図７】
2006270597.tif 000009
【図８】
2006270597.tif 000010
【図９】
2006270597.tif 000011
【図１０】
2006270597.tif 000012
【図１１】
2006270597.tif 000013
【図１２】
2006270597.tif 000014
【図１３】
2006270597.tif 000015
【図１４】
2006270597.tif 000016
【図１５】
2006270597.tif 000017
【図１６】
2006270597.tif 000018
【図１７】
2006270597.tif 000019
【図１８】
2006270597.tif 000020